(57)【要約】【課題】折畳み集積紙の紙片長さを均一にできる折畳み集積紙製造設備を提供する。【解決手段】２枚の幅広連続紙から、連続紙Ｗ１，Ｗ２の幅方向に折畳まれた長尺折畳み集積紙Ｔを作る折畳み機１と、長尺折畳み集積紙Ｔを短尺に切断して短尺折畳み集積紙を作る切断機５と、長尺折畳み集積紙Ｔの下面を支えるバー３４，３５を内側から外側へ移動させて集積紙Ｔの端面を揃える端面揃え機３とを備え、端面揃え機３は、折畳み機１と切断機５との間に設けられている。バー３４，３５を長尺折畳み集積紙Ｔの下面において、中央から左右の端部に向けて移動さすと、長尺折畳み集積紙Ｔの端面が垂直に揃えられる。【選択図】図１
2006290607.tif 000002
【特許請求の範囲】
【請求項１】
２枚の幅広連続紙から、該連続紙の幅方向に折畳まれた長尺折畳み集積紙を作る折畳み機と、
長尺折畳み集積紙を短尺に切断して短尺折畳み集積紙を作る切断機と、
前記長尺折畳み集積紙の下面を支えるバーを内側から外側へ移動させて該集積紙の端面を揃える端面揃え機とを備え、
該端面揃え機は、前記折畳み機と前記切断機との間に設けられている
ことを特徴とする折畳み集積紙製造設備。
【請求項２】
前記端面揃え機は、
水平ビームと、
該水平ビームに横送り自在に取付けた左右一対のスライドシリンダと、
該左右一対のスライドシリンダに横行される左右一対のすくいバーと、
前記水平ビームを２段階で昇降させる昇降シリンダおよび待機シリンダと
からなることを特徴とする請求項１記載の折畳み集積紙製造設備。
【請求項３】
前記端面揃え機は、
長尺折畳み集積紙の中央部を、上から下向きに押える押えシリンダと、下から上向きに押し上げるストッパシリンダとを備えている
ことを特徴とする請求項１記載の折畳み集積紙製造設備。
【発明の詳細な説明】
【技術分野】
【０００１】
本発明は、折畳み集積紙製造設備に関する。さらに詳しくは、タオルペーパーやティッシュペーパーなどのような比較的薄い紙や不織布などのウエブを交互にジグザグ折りして集積した折畳み集積紙の製造設備に関する。
【背景技術】
【０００２】
折畳み集積紙の製造要領概略を、図１３および図１４に基づき説明する。
折畳み集積紙製造設備100は、折畳み機110、横送りコンベヤ120、縦送りコンベヤ130、切断機140から構成されている。折畳み機110は、２個のドラム111やカウントフィンガー112、フォルディングフィンガー113等を備えた従来からの装置である（特許文献１参照）。２個のドラム111は、それぞれ幅広連続紙を一定寸法に切断するカッター、切断された枚葉紙をつかむジョーを備えている。カウントフィンガー112はクシ歯状の支持バーを沢山備えた部材であり、折畳まれた集積紙Ｔを、その上面に積み重ね、積重ね量が所定量に達すると下降して、横送りコンベヤ120に受け渡す。フォルディングフィンガー113はドラム111からカウントフィンガー112上に受け渡される枚葉紙を一枚一枚二つ折りにする道具である。
【０００３】
上記の折畳み集積紙製造設備100では、まず、折畳み機110により、２枚の幅広連続紙Ｗ１，Ｗ２を、共に一定寸法に切断しつつ幅方向に沿って折畳み、交互にジグザグ状に重ね合わせ、一定枚数をカウントフィンガー112上に集積して長尺折畳み集積紙Ｔを作る。
ついで、この長尺折畳み集積紙Ｔを横送りコンベヤ120に受け渡し、幅方向に向けて送り出す。
ついで、縦送りコンベヤ130で、長尺折畳み集積紙Ｔを長手方向に送り出して、丸のこを用いた切断機140により先頭から順に一定寸法に切断していく。
最後に、紙製箱Ｐに箱詰めすると折畳み集積紙製品が完成する。
【０００４】
ところで、前記折畳み機110により枚葉紙を折畳むときは、図１５（Ａ）に示すように、カウントフィンガー112上に折畳み集積紙Ｔが載せられるが、カウントフィンガー112は細い棒状のフィンガーを間隔をあけて並べた部材であり、長尺折畳み集積紙Ｔが自重で若干垂れ下がることになる。しかも、フォルディングフィンガー113が折畳み集積紙Ｔの上面から枚葉紙を折畳む度に上方からたたくので、ますます垂れ下がりが大きくなる。そして、この垂れ下がりが原因で、（Ａ）図に符号Ｚで示すように、両端面においては下層の紙ほど内側に引き寄せられた形となる。
そして、このように端部の形状が変形したままで、丸のこで定寸切断すると、（Ｂ）図に示すように、端部側の短尺折畳み集積紙ｔは、下層の紙片が上層の紙片に比べ短くなっており、これが欠陥製品となる。
【０００５】
【特許文献１】特公平４−１９１５２号
【発明の開示】
【発明が解決しようとする課題】
【０００６】
本発明はかかる事情に鑑み、折畳み集積紙の紙片長さを均一にできる折畳み集積紙製造設備を提供することを目的とする。
【課題を解決するための手段】
【０００７】
第１発明の折畳み集積紙製造設備は、２枚の幅広連続紙から、該連続紙の幅方向に折畳まれた長尺折畳み集積紙を作る折畳み機と、長尺折畳み集積紙を短尺に切断して短尺折畳み集積紙を作る切断機と、前記長尺折畳み集積紙の下面を支えるバーを内側から外側へ移動させて該集積紙の端面を揃える端面揃え機とを備え、該端面揃え機は、前記折畳み機と前記切断機との間に設けられていることを特徴とする。
第２発明の折畳み集積紙製造設備は、第１発明において、前記端面揃え機は、水平ビームと、該水平ビームに横送り自在に取付けた左右一対のスライドシリンダと、該左右一対のスライドシリンダに横行される左右一対のすくいバーと、前記水平ビームを２段階で昇降させる昇降シリンダおよび待機シリンダとからなることを特徴とする。
第３発明の折畳み集積紙製造設備は、第１発明において、前記端面揃え機は、長尺折畳み集積紙の中央部を、上から下向きに押える押えシリンダと、下から上向きに押し上げるストッパシリンダとを備えていることを特徴とする。
【発明の効果】
【０００８】
第１発明によれば、長尺折畳み集積紙の下面をバーで支えた状態でバーを内側から外側へ移動させると、長尺折畳み集積紙の下層の紙片が平坦に整形せられ、長尺折畳み集積紙の端面が垂直になる。このため、次工程で短尺に切断したとき、長さが全ての紙片で均等になるので、欠陥製品が生じない。
第２発明によれば、左右のスライドシリンダで左右のすくいバーを横送りさせると長尺折畳み集積紙の下層の紙を摩擦で引っ張って、たわみを取るので、端面を垂直に揃えることができる。このため、長尺折畳み集積紙を切断した後で欠陥製品が生ずることはない。また、昇降シリンダと待機シリンダで２段階昇降させるので、長尺折畳み集積紙の受け入れ、端面揃え、回帰の各動作が自動的に行える。
第３発明によれば、集積紙の中央を軽く挟んでおけるので、集積紙を右または左のいずれか一方向に寄せすぎて、端面が斜めになるのを防止することができる。
【発明を実施するための最良の形態】
【０００９】
つぎに、本発明の実施形態を図面に基づき説明する。
図１は本発明の一実施形態に係る折畳み集積紙製造設備の側面図である。図２は同折畳み集積紙製造設備の平面図である。図３は図１のIII-III矢視図である。
【００１０】
図１および図２において、Ａは折畳み集積紙製造設備であり、折畳み機１と横送りコンベヤ２と端面揃え機３と縦送りコンベヤ４と切断機５とから構成されている。
本発明の特徴は、前記端面揃え機３を折畳み機１と切断機５との間に設けたことにある。
【００１１】
前記折畳み機１は、公知の折畳み機でもよく、改良された新規な折畳み機でもよい。要は、２枚の幅広連続紙Ｗ１，Ｗ２を、共に一定寸法に切断しつつ幅方向に沿って折畳み、交互にジグザグ状に重ね合わせ、一定枚数をカウントフィンガー上に集積して長尺折畳み集積紙Ｔを作る機能を備えているものであればよい。カウントフィンガーは従来例と同様にクシ歯状のものが用いられている。
【００１２】
上記折畳み機１と縦送りコンベヤ４との間には、横送りコンベヤ２が配置されている。この横送りコンベヤ２は、第１横送りコンベヤ２１、第２横送りコンベヤ２２、第３横送りコンベヤ２３から構成されている。各横送りコンベヤ２１，２２，２３はいずれも細幅のベルトを用いたもので数本が間隔をあけて並列に配置されている。
第１横送りコンベヤ２１の基端部は前記折畳み機１のカウントフィンガーが下降してくる位置にあって、長尺折畳み集積紙Ｔを受け取ることができる。この第１横送りコンベヤ２１の先端部と前記第２横送りコンベヤ２２の基端部は横隣に配置され、第１横送りコンベヤ２１で送られてきた長尺折畳み集積紙Ｔを受け取ることができる。この第２横送りコンベヤ２２の先端部と第３横送りコンベヤ２３の基端部は隣り合って配置されており、長尺折畳み集積紙Ｔを受け取って、第３横送りコンベヤ２３の先端部まで横送りすることができる。なお、ベルトの下面にはプレート２５が置かれており、長尺折畳み集積紙Ｔの下面を支持するようになっている。
【００１３】
図２において、第２横送りコンベヤ２２の先端部と第３横送りコンベヤ２３の基端部の隣接位置には、後述する端面揃え機３のバーを下降させる長孔２４があけられている。本発明における端面揃え機３は、前記第２横送りコンベヤ２２と第３横送りコンベヤ２３の接続位置に設置される。
また、図１に示すように、第３横送りコンベヤ２３の先端位置には、縦送りコンベヤ４が設置され、この縦送りコンベヤ４で縦送りされた位置の長尺折畳み集積紙Ｔを切断する切断機５が設けられるが、詳細は省略する。
【００１４】
図１および図３に基づき、端面揃え機３の詳細を説明する。
３１は水平ビームで、前記横送りコンベヤ２の幅を超える長さを有している。また、この水平ビーム３１の前面には２基のスライドシリンダ３２，３３が左右に分けて取付けられている。２基のスライドシリンダ３２，３３は、いずれも同じ機構であり、スライドレール上をスライダ32s，33sが左右方向に動くようになっている。そして、このスライダ32s，33sに、すくいバー３４，３５が取付けられている。このすくいバー３４，３５は側面視でＬ字形をしており、下部の水平部分はすくい部34a，35aであって、長尺折畳み集積紙Ｔの底面を支え、かつ接触状態でスライドするようになっている。
【００１５】
前記水平ビーム３１の中央部には、押えシリンダ３６がピストンロッドを下に向けて取付けられており、ピストンロッドには押え板３７が取付けられている。また、この押え板３７の直下方には、ストッパシリンダ３８が配置されている。このストッパシリンダ３８はピストンロッドを上に向けて取付けられている。
【００１６】
前記水平ビーム３１の両端部には、それぞれ、昇降シリンダ４１と待機シリンダ４２がタンデムに組付けて取付けられている。この昇降シリンダ４１の昇降と待機シリンダ４２の昇降を組合わせて、水平ビーム３１を２段階で昇降できるようになっている。
【００１７】
つぎに、本実施形態の端面揃え機３の使い方を、図４〜図１２に基づき説明する。
（１）待機位置
図４に示すように、昇降シリンダ４１と待機シリンダ４２が収縮し、左右のスライダ32s，33sが中央に寄っている。このため、２本のすくいバー３４，３５は中央位置に集まって下降している。この状態で、すくいバー３４，３５のすくい部34a，35aは長孔２４内に入っているので、第２横送りコンベヤ２２のベルト面（すなわち長尺折畳み集積紙Ｔの下面）より下に下っている。
このため、第２横送りコンベヤ２２で横送りされた長尺折畳み集積紙Ｔは、すくいバー３４，３５のすくい部35a上まで送られてくる。
【００１８】
（２）揃え始め動作
図５に示すように、前もって、押えシリンダ３６を伸長し、押え板３７で、長尺折畳み集積紙Ｔをストッパシリンダ３８のピストンロッドとの間に挟んでおく。これは、集積紙Ｔの下層の紙を右や左のいずれか一方向に寄せすぎて、かえって端面を傾斜させてしまう不都合を防止するためである。ただし、プレスすると製品価値を損なう集積紙Ｔにあっては、この工程を省略する。
ついで、昇降シリンダ４１を伸長させ、すくいバー３４，３５を持ち上げる。このとき同期して、押えシリンダ３６を収縮させて押え板３７を上昇させ、ストッパシリンダ３８を伸長させる。このとき、押え板３７が集積紙Ｔを圧迫しすぎないように、押えシリンダ３６のエアー圧を調整している。
この状態では、長尺折畳み集積紙Ｔの中央付近がすくいバー３４，３５で少し持ち上げられた状態となる。
【００１９】
（３）揃え作業中
図６に示すように、左右のスライドシリンダ３２，３３を駆動してすくいバー３４，３５を長尺折畳み集積紙Ｔの両端方向にそれぞれ移動させる。このとき、長尺折畳み集積紙Ｔは持ち上げられた状態で、その下面をすくいバー３４，３５のすくい部34a，35aが滑っていくので、摩擦力により長尺折畳み集積紙Ｔの下層の紙は両端方向へ引き延ばされる。
【００２０】
（４）揃え作業終了
図７に示すように、すくいバー３４，３５が長尺折畳み集積紙Ｔの両端から抜けると、揃え作業が終了する。
このときの状態は、図１２（Ａ）に示すように、長尺折畳み集積紙Ｔの下層の紙は、両端方向へ引き延ばされたことから、端面Ｚが揃い垂直に立つことになる。
このため、図１２（Ｂ）に示すように、後工程で切断すると、最外端に位置する短尺折畳み集積紙ｔも含め、全ての短尺折畳み集積紙ｔの幅寸法が一定値に収まり、欠陥製品も生じなくなる。
【００２１】
（５）その後は、以下の動作によって、最初の待機位置に帰る。
・待機シリンダ４２を伸長させ、すくいバー３４，３５を長尺折畳み集積紙Ｔより高く上昇させる（図８）。
・スライドシリンダ３２，３３を駆動し、すくいバー３４，３５を中央に戻す（図９）。
・長尺折畳み集積紙Ｔを第３横送りコンベヤ２３まで横送りする（図１０）。
・昇降シリンダ４１と待機シリンダ４２を収縮させ、すくいバー３４，３５を第２横送りコンベヤ２２より下方に下げる。
【００２２】
（６）上記の（１）〜（４）を繰返すことで、順々に長尺折畳み集積紙Ｔの端面を揃えていくことができる。
【図面の簡単な説明】
【００２３】
【図１】本発明の一実施形態に係る折畳み集積紙製造設備の側面図である。
【図２】同折畳み集積紙製造設備の平面図である。
【図３】図１のIII-III矢視図である。
【図４】同折畳み集積紙製造設備における端面揃え機の待機位置を示す説明図である。
【図５】同端面揃え機における作業開始状態の説明図である。
【図６】同端面揃え機における作業中の説明図である。
【図７】同端面揃え機における作業終了時の説明図である。
【図８】同端面揃え機における回帰動作の説明図である。
【図９】同端面揃え機における回帰動作の説明図である。
【図１０】同端面揃え機における回帰動作の説明図である。
【図１１】同端面揃え機における回帰動作の説明図である。
【図１２】同端面揃え機における端面揃え作業の説明図である。
【図１３】従来の折畳み集積紙製造設備の側面図である。
【図１４】折畳み集積紙の作業工程図である。
【図１５】従来の折畳み集積紙製造設備の問題点の説明図である。
【符号の説明】
【００２４】
Ｗ        ウエブ
Ｔ        折り畳み集積紙
１        折畳み機
２        横送りコンベヤ
３        端面揃え機
４        縦送りコンベヤ
５        切断機
３１        水平ビーム
３２，３３        スライドシリンダ
３４，３５        すくいバー
３６        押えシリンダ
３７        押え板
３８        ストッパシリンダ
４１        昇降シリンダ
４２        待機シリンダ
【図１】
2006290607.tif 000003
【図２】
2006290607.tif 000004
【図３】
2006290607.tif 000005
【図４】
2006290607.tif 000006
【図５】
2006290607.tif 000007
【図６】
2006290607.tif 000008
【図７】
2006290607.tif 000009
【図８】
2006290607.tif 000010
【図９】
2006290607.tif 000011
【図１０】
2006290607.tif 000012
【図１１】
2006290607.tif 000013
【図１２】
2006290607.tif 000014
【図１３】
2006290607.tif 000015
【図１４】
2006290607.tif 000016
【図１５】
2006290607.tif 000017